(57)【特許請求の範囲】
【請求項１】
光ディスク挿入口に開閉可能な防塵扉を設け、この防塵扉には、その両端面部分に形成した回転中心穴と、この回転中心穴と直交平面に曲率を持った垂直壁と、この垂直壁を傾斜で切り取った傾斜壁とを形成するとともに、閉動方向に弾性付勢し、挿入した光ディスクの外周部が当接することで、弾性に抗して開動可能としたことを特徴とする光ディスク扉装置。
【請求項２】
光ディスク再生メカニズムの光ディスク排出動作を防塵扉に伝達して開動させるレバーを設け、垂直壁の直交平面端部に左右方向の溝を形成し、この溝に沿って移動可能なスライダを設けるとともに、このスライダに、光ディスクの外周部が当接可能な突起と、レバー当たりと、レバー逃げとを形成したことを特徴とする請求項１記載の光ディスク扉装置。
【請求項３】
防塵扉は相対向した１対であって、回転中心穴の周りに形成したギア部を互いに噛合したことを特徴とする請求項１または２記載の光ディスク扉装置。
【発明の詳細な説明】
【０００１】
【発明の属する技術分野】
本発明は、光ディスクの挿入および排出後に防塵扉を自動的に閉める光ディスク扉装置に関するものである。
【０００２】
【従来の技術】
従来、たとえば車載用ＣＤプレーヤなどの光ディスク再生装置では、光ディスクの平面部に擦過傷を付けることが無いように、フェルトにスリットを入れた防塵扉を用いたものが知られている。
図７に従来の光ディスク扉装置の分解斜視図を示す。２１は機器のフロントパネル、２２はフェルトにスリット２２ａを入れて形成された防塵扉、２３はフロントパネル２１との間に防塵扉２２を固定するためのマウスで、このマウス２３は、フロントパネル２１に形成されている光ディスク挿入口２１ａからの光ディスク２０を、光ディスク再生メカニズム（図示せず。）に導入するように構成されている。
【０００３】
【発明が解決しようとする課題】
しかしながら、このような従来の光ディスク扉装置においては、防塵扉２２の材料に、光ディスク２０の平面部に擦過傷を付けないフェルトを使用しているため、長期間にわたる光ディスク２０の通過や湿度などによるフェルトの強度劣化で、スリット２２ａが開いたままとなり、防塵性能が落ちるという問題点を有していた。
【０００４】
本発明は、経時変化のない信頼性の高い光ディスク扉装置の提供を目的とするものである。
【０００５】
【課題を解決するための手段】
前述した目的を達成するために、本発明のうちで請求項１記載の光ディスク扉装置は、光ディスク挿入口を開閉可能な防塵扉を設け、この防塵扉には、その両端面部分に形成した回転中心穴と、この回転中心穴と直交平面に曲率を持った垂直壁と、この垂直壁を傾斜で切り取った傾斜壁とを形成するとともに、閉動方向に弾性付勢し、挿入した光ディスクの外周部が当接することで、弾性に抗して開動可能としたことを特徴としたものである。
【０００６】
したがって請求項１の発明によると、光ディスクを排出するために動作させることで、防塵扉を弾性付勢力に抗して回転させ得、以て光ディスクを、開放した光ディスク挿入口を通して排出し得る。また光ディスクを光ディスク挿入口から挿入すると、この光ディスクの先端側の外周部が防塵扉の傾斜壁に当接し、さらに光ディスクを押し込むことで、傾斜壁の傾斜構成によって、防塵扉を弾性付勢力に抗して回転させ得、以て光ディスクを、防塵扉の外周部により弾性付勢力で挟んだ状態で通過し得、光ディスク挿入口を通して挿入し得る。
【０００７】
このように挿入時や排出時に光ディスクは、弾性付勢力によって防塵扉に挟まれた状態で通過するが、このとき、光ディスクの外周部が防塵扉に当接し、平面部には接触しないため、擦過傷が発生することはない。すなわち、光ディスクに擦過傷を付けることなく、光ディスクの挿入および排出後に防塵扉を閉めるように構成し得、以て経時変化のない信頼性の高い防塵扉が得られる。
【０００８】
また本発明の請求項２記載の光ディスク扉装置は、上記した請求項１記載の構成において、光ディスク再生メカニズムの光ディスク排出動作を防塵扉に伝達して開動させるレバーを設け、垂直壁の直交平面端部に左右方向の溝を形成し、この溝に沿って移動可能なスライダを設けるとともに、このスライダに、光ディスクの外周部が当接可能な突起と、レバー当たりと、レバー逃げとを形成したことを特徴としたものである。
【０００９】
したがって請求項２の発明によると、光ディスク再生メカニズムを光ディスクを排出するために動作させることで、その動作力によりレバーを回転させて、スライダのレバー当たりを押し下げる。これにより、防塵扉を弾性付勢力に抗して回転させ得、以て光ディスクを、開放した光ディスク挿入口を通して排出し得る。この排出途中においてスライダの突起は、光ディスクの外周部に当接しているため、光ディスクの排出に伴って押し広げ状に移動し、以てスライダを外方向に移動させる。
【００１０】
このようにスライダが移動すると、レバー当たりも一体に移動するため、このレバー当たりに当接していたレバーの部分がレバー逃げに係合することになる。これにより、弾性付勢力によって開状態であった防塵扉を閉方向に回転させて、稜線により光ディスクの外周部を挟んだ状態となり、そして光ディスクの排出後に、閉状態に戻される。
【００１２】
そして本発明の請求項３記載の光ディスク扉装置は、上記した請求項１または２記載の構成において、防塵扉は相対向した１対であって、回転中心穴の周りに形成したギア部を互いに噛合したことを特徴としたものである。
したがって請求項３の発明によると、光ディスクの排出動作時や挿入動作時において、下側の防塵扉を正逆に回転させると同時に、互いに噛合したギア部を介して上側の防塵扉を逆方向に回転させ得る。これにより１対の防塵扉を、互いに逆方向に開閉し得ることになる。
【００１３】
【発明の実施の形態】
以下に、本発明の実施の形態について、図１から図６を用いて説明する。ここで、図１は光ディスク扉装置を示す分解斜視図、図２は図１に係る主要構成部品を拡大表示した分解斜視図、図３は光ディスク扉装置の動作を横から見た部分断面動作図、図４、図５は防塵扉部分の動作を横から見た部分断面動作図、図６は光ディスク扉装置の動作を上から見た部分断面動作図である。
【００１４】
図１、図２において、１は機器のフロントパネルで、その光ディスク挿入口１ａの両端内面（一端側が図示され、反対側は図示略）には、防塵扉回転中心軸１ｂ、１ｃが、フロントパネル１と一体に設けられている。
２は防塵扉で、光ディスク挿入口１ａの中心を基点に上下対称位置に１対配置されている。両防塵扉２は、その両端面部分に回転中心穴２ａとギア部２ｂが形成され、そして回転中心穴２ａと直交平面に曲率を持った垂直壁２ｃと、この垂直壁２ｃを傾斜で切り取った傾斜壁２ｄとが形成されるとともに、前記垂直壁２ｃの直交平面端部でかつ一方側には左右方向の溝２ｅが設けられている。
【００１５】
これら防塵扉２は、防塵扉回転中心軸１ｂ、１ｃに回転中心穴２ａを介して取付けることで、フロントパネル１に対して回動可能に設けられ、その際に両ギア部２ｂが互いに噛合されるように構成されている。
３はスライダで、その上面には突起３ａが設けられ、前記防塵扉２の溝２ｅに断面形状３ｂが係合されることで、この溝２ｅに沿って左右方向に移動可能とされている。そしてスライダ３の外端側には、レバー当たり３ｃやレバー逃げ３ｄが形成されている。
【００１６】
４はレバーで、その中央部分には回転中心軸４ａが形成され、この回転中心軸４ａに対して両端に振分けて、光ディスク再生メカニズム６のディスク排出動作を検出する棒４ｂと、スライダ３のレバー当たり３ｃに当接自在なフック４ｃとが設けられている。５はレバーホルダーで、左右に形成されている回転中心穴５ａに回転中心軸４ａの両端部分を挿入することで、レバー４を回転自在に保持する。
【００１７】
７は前記光ディスク再生メカニズム６を機器に固定する取付け金具である。ここで取付け金具７は、前記レバーホルダー５を保持する穴７ａを有する。８は防塵扉２を閉動方向に弾性付勢（閉状態に保持）する巻きばね（弾性体）で、防塵扉回転中心軸１ｃに外嵌されて、下側の防塵扉２とフロントパネル１側との間に配設されている。９はレバー４を元の位置に戻す巻きばねで、回転中心軸４ａに外嵌されて、レバー４とレバーホルダー５との間に配設されている。１０はスライダ３を元の位置に戻す圧縮ばねで、下側の防塵扉２とスライダ３との間に配設されている。
【００１８】
以下に、上記した実施の形態における作用を、図３〜図６を用いて説明する。まず、光ディスク１１の排出動作を説明する。図３の（ａ）や図４の（ａ）は光ディスク１１を再生中の各構成部品の位置を示している。図３の（ａ）や図４の（ａ）において、光ディスク取出しボタン（図示せず。）を押すと、光ディスク再生メカニズム６は、光ディスク１１を排出するためのローディング機構（図示せず。）を動作させ、図３の（ｂ）に示すように、その構成部品６ａがレバー４の棒４ｂを押し上げる。
【００１９】
このときレバー４は、レバーホルダー５に対して回転中心軸４ａが回転可能に保持されているため、この回転中心軸４ａを中心に巻きばね９の弾性付勢力に抗して回転され、以て下方へ回転されるフック４ｃがスライダ３のレバー当たり３ｃを押し下げる。
そして図６の（ａ）に示すように、スライダ３は防塵扉２の溝２ｅに係合しているため、下側の防塵扉２は、フロントパネル１に設けた防塵扉回転中心軸１ｃを中心に巻きばね８の弾性付勢力に抗して回転されると同時に、互いに噛合されたギア部２ｂを介して上側の防塵扉２が、フロントパネル１に設けた防塵扉回転中心軸１ｂを中心に逆方向に回転される。
【００２０】
これにより一対の防塵扉２は、図３の（ｂ）や図４の（ｂ）に示すように、互いに逆方向に開くことになり、そして光ディスク１１は、光ディスク再生メカニズム６のローディング機構の動作によって、両防塵扉２の間を通って排出される。
図６の（ａ）は光ディスク１１の排出途中を示し、ここで光ディスク１１は、説明のために透過表示している。この図６の（ａ）において光ディスク１１は、光ディスク再生メカニズム６のローディング機構により外方向（下側方向）に排出Ａされる。このときスライダ３の突起３ａは、光ディスク１１の直径よりわずかに小さい位置に配置されて光ディスク１１の外周部１１ａに当接されているため、光ディスク１１の排出Ａに伴って押し広げ状に移動され、以てスライダ３は、図６の（ｂ）のように右外方向に移動される。
【００２１】
このようにスライダ３が移動すると、レバー当たり３ｃも一体に移動するため、このレバー当たり３ｃに当接していたレバー４のフック４ｃがレバー逃げ３ｄに係合されることになる。これにより、巻きばね８の復元力によって、開状態であった防塵扉２が閉方向に回転され、図４の（ｃ）に示すように、稜線２ｆが光ディスク１１の外周部１１ａを挟んだ状態となり、そして光ディスク１１の排出後は、図３の（ｃ）や図４の（ｄ）に示すように閉状態に戻される。以上により、光ディスク１１の排出動作を終える。
【００２２】
次に光ディスク１１の挿入動作を説明する。図３の（ｃ）や図４の（ｄ）に示す閉状態において、光ディスク１１をフロントパネル１の光ディスク挿入口１ａから挿入すると、図５の（ａ）に示すように、この光ディスク１１の先端側の外周部１１ａは防塵扉２の傾斜壁２ｄに接する。
さらに光ディスク１１を押し込むと、傾斜壁２ｄの傾斜構成によって、下側の防塵扉２は、フロントパネル１に設けた防塵扉回転中心軸１ｃを中心に巻きばね８の弾性付勢力に抗して回転される。これと同時に、互いに噛合されたギア部２ｂを介して上側の防塵扉２が、フロントパネル１に設けた防塵扉回転中心軸１ｂを中心に逆方向に回転され、以て光ディスク１１は図５の（ｂ）に示すように、１対の防塵扉２の外周部１１ａにより巻きばね８の復元力で挟まれた状態で防塵扉２間を通過する。
【００２３】
更に光ディスク１１を挿入すると、光ディスク再生メカニズム６のローディング機構により、この光ディスク１１は所定の位置まで吸い込まれ、以て挿入が完了する。挿入が完了すると、図３の（ｃ）に示すようにレバー４の棒４ａを押し上げていたローディング機構の構成部品６ａは元の位置に戻り、レバー４は、巻きばね９の復元力によって図３の（ａ）に示すように元の位置に戻される。また、レバー４のフック４ｂに拘束されていたスライダ３も、圧縮ばね１０の復元力によって図６の（ａ）に示すように元の位置に戻される。以上により、光ディスク１１の挿入動作を終える。
【００２４】
上述したように、挿入時や排出時に光ディスク１１は、たとえば図４の（ｃ）図５の（ｂ）に示すように、巻きばね８の弾性付勢力によって防塵扉２に挟まれた状態で両防塵扉２間を通過するが、このとき、垂直壁２ｃは回転中心穴２ａと直交平面に曲率を持っており、且つ、傾斜壁２ｄは垂直壁２ｃを更に傾斜しているため、稜線２ｆが垂直壁２ｃより小さな曲率を持つことと、稜線２ｆは回転中心穴２ａを中心に回転しているため、光ディスク１１とは角度を持って接触することになる。その結果、稜線２ｆは光ディスク１１の外周部１１ａでのみ接触し、平面部には接触しないため擦過傷が発生することはない。
【００２５】
上記した実施の形態では、防塵扉２を上下１対（２部品）で構成した例で説明したが、これは上下のいずれか一方（１部品）のみの構成であっても、同様に実施可能である。
上記した実施の形態では、レバー４の棒４ａは光ディスク再生メカニズム６のディスク排出動作の上下移動を検出する形状例で説明したが、これはレバー４の形状を変えることで、光ディスク再生メカニズム６のディスク排出動作の前後、左右移動や回転動作でも同様に実施可能である。
【００２６】
【発明の効果】
上記した本発明によれば、少ない部品で光ディスクの平面部に擦過傷を付けることなく、光ディスクの挿入および排出後に扉を閉めることができて、経時変化のない信頼性の高い防塵扉を構成できるという有利な効果が得られる。
【図面の簡単な説明】
【図１】本発明の実施の形態の一例を示し、光ディスク扉装置を示す分解斜視図
【図２】同光ディスク扉装置の主要構成部品を拡大表示した分解斜視図
【図３】同光ディスク扉装置の動作を横から見た部分断面動作図
【図４】同防塵扉部分の排出時動作を横から見た部分断面動作図
【図５】同防塵扉部分の挿入時動作を横から見た部分断面動作図
【図６】同光ディスク扉装置の動作を上から見た部分断面動作図
【図７】従来例を示し、光ディスク扉装置の分解斜視図
【符号の説明】
１    機器のフロントパネル
１ａ  光ディスク挿入口
１ｂ  防塵扉回転中心軸
１ｃ  防塵扉回転中心軸
２    防塵扉
２ａ  回転中心穴
２ｂ  ギア部
２ｃ  垂直壁
２ｄ  傾斜壁
２ｅ  溝
２ｆ  稜線
３    スライダ
３ａ  突起
３ｃ  レバー当たり
３ｄ  レバー逃げ
４    レバー
４ａ  回転中心軸
４ｂ  棒
４ｃ  フック
５    レバーホルダー
６    光ディスク再生メカニズム
６ａ  構成部品
８    巻きばね（弾性体）
９    巻きばね
１０    圧縮ばね
１１    光ディスク
１１ａ  外周部
【図１】
0003690942.tif 000002
【図２】
0003690942.tif 000003
【図３】
0003690942.tif 000004
【図４】
0003690942.tif 000005
【図５】
0003690942.tif 000006
【図６】
0003690942.tif 000007
【図７】
0003690942.tif 000008